【手続補正書】
【提出日】平成17年5月27日(2005.5.27)
【手続補正１】
【補正対象書類名】明細書
【補正対象項目名】発明の名称
【補正方法】変更
【補正の内容】
【発明の名称】電圧電流極性検出装置とそれを備えた電力変換装置
【手続補正２】
【補正対象書類名】明細書
【補正対象項目名】特許請求の範囲
【補正方法】変更
【補正の内容】
【特許請求の範囲】
【請求項１】
電力変換装置中の任意の二端子(x)(y)間の電圧電流極性を検出する電圧電流極性検出装置において、
カソードが前記端子(x) に接続された第１のダイオード(1) と、
カソードが前記端子(y) に接続された第２のダイオード(2) と、
カソードが前記端子(x) に接続された第３のダイオード(3) と、
カソードが前記端子(y) に接続された第４のダイオード(4) と、
負極が前記第１のダイオード(1) および前記第２のダイオード(2) のアノードに接続された直流電源(13)と、
一端が前記第３のダイオード(3) のアノードに接続され他端が前記直流電源(13)の正極に接続された第１の抵抗(5) と、
一端が前記第４のダイオード(4) のアノードに接続され他端が前記直流電源(13)の正極に接続された第２の抵抗(6) と、
前記第１の抵抗(5) の前記一端と前記第２の抵抗(6) の前記一端との間の電圧の極性に基づいて、前記端子(x) と前記端子(y) との間に印加される電圧の極性を判別する電圧極性判別部とを設けたことを特徴とする電圧電流極性検出装置。
【請求項２】
前記第１のダイオード(1) に並列接続された第３の抵抗(7) と、
前記第２のダイオード(2) に並列接続された第４の抵抗(8) と、
を設けたことを特徴とする請求項１記載の電圧電流極性検出装置。
【請求項３】
電力変換装置中の任意の二端子(x)(y)間の電圧電流極性を検出する電圧電流極性検出装置において、
アノードが前記端子(x) に接続された第１のダイオード(1) と、
アノードが前記端子(y) に接続された第２のダイオード(2) と、
アノードが前記端子(x) に接続された第３のダイオード(3) と、
アノードが前記端子(y) に接続された第４のダイオード(4) と、
正極が前記第１のダイオード(1) および前記第２のカソードに接続された直流電源(13)と、
一端が前記第３のダイオード(3) のカソードに接続され他端が前記直流電源(13)の負極に接続された第１の抵抗(5) と、
一端が前記第４のカソードに接続され他端が前記直流電源(13)の負極に接続された第２の抵抗(6) と、
前記第１の抵抗(5) の前記一端と前記第２の抵抗(6) の前記一端との間の電圧の極性に基づいて、前記端子(x) と前記端子(y) との間に印加される電圧の極性を判別する電圧極性判別部とを設けたことを特徴とする電圧電流極性検出装置。
【請求項４】
前記電圧極性判別部から出力される電圧極性に基づいて前記二端子間の電流極性を判別することを特徴とする請求項１または３に記載の電圧電流極性検出装置。
【請求項５】
一端が前記端子(x) に接続され、他端が前記端子(y) に接続され電流が双方向に流せる半導体スイッチを前記電力変換装置中に備え、
前記電圧極性判別部から出力された電圧の極性の信号に基づいて前記半導体スイッチの両端に印加される電圧の極性または前記半導体スイッチの電流極性を判別することを特徴とする請求項１または３に記載の電圧電流極性検出装置。
【請求項６】
コレクタが前記端子(x) に接続されエミッタが前記直流電源(13)の負極に接続された第１の半導体スイッチ手段(9) と、
コレクタが前記端子(y) に接続されエミッタが前記直流電源(13)の負極に接続された第２の半導体スイッチ手段(10)とを備え、
前記第１の半導体スイッチ手段(9) と前記第２の半導体スイッチ手段(10)と前記第１のダイオード(1)と前記第２のダイオード(2)により電流が双方向に流せる半導体スイッチを構成したことを特徴とする請求項１記載の電圧電流極性検出装置。
【請求項７】
前記第１のダイオード(1) に並列接続された第３の抵抗(7) と、
前記第１のダイオード(2) に並列接続された第４の抵抗(8) と、
を設けたことを特徴とする請求項６記載の電圧電流極性検出装置。
【請求項８】
エミッタが前記端子(x) に接続されコレクタが前記直流電源(13)の正極に接続された第１の半導体スイッチ手段(9) と、
エミッタが前記端子(y) に接続されコレクタが前記直流電源(13)の正極に接続された第２の半導体スイッチ手段(10)とを備え、
前記第１の半導体スイッチ手段(9) と前記第２の半導体スイッチ手段(10)と前記第１のダイオード(1)と前記第２のダイオード(2)により電流が双方向に流せる半導体スイッチを構成したことを特徴とする請求項１記載の電圧電流極性検出装置。
【請求項９】
前記第１のダイオード(1) に並列接続された第３の抵抗(7) と、
前記第１のダイオード(2) に並列接続された第４の抵抗(8) と、を設けたことを特徴とする請求項８記載の電圧電流極性検出装置。
【請求項１０】
前記直流電源(13)を前記第１の半導体スイッチ手段(9) と前記第２の半導体スイッチ手段(10)のゲート駆動電源として共用し同一電源としたことを特徴とする請求項６または８に記載の電圧電流極性検出装置。
【請求項１１】
前記電力変換装置は、請求項１から１０のいずれかの電圧電流極性検出装置を備えたことを特徴とする電力変換装置。
【手続補正３】
【補正対象書類名】明細書
【補正対象項目名】０００４
【補正方法】変更
【補正の内容】
【０００４】
【課題を解決するための手段】
上記問題を解決するため、本発明は電力変換装置中の任意の二端子(x)(y)間の電圧電流極性を検出する電圧電流極性検出装置において、カソードが前記端子(x) に接続された第１のダイオード(1) と、カソードが前記端子(y) に接続された第２のダイオード(2) と、カソードが前記端子(x) に接続された第３のダイオード(3) と、カソードが前記端子(y) に接続された第４のダイオード(4) と、負極が前記第１のダイオード(1) および前記第２のダイオード(2) のアノードに接続された直流電源(13)と、一端が前記第３のダイオード(3) のアノードに接続され他端が前記直流電源(13)の正極に接続された第１の抵抗(5) と、一端が前記第４のダイオード(4) のアノードに接続され他端が前記直流電源(13)の正極に接続された第２の抵抗(6) と、前記第１の抵抗(5) の前記一端と前記第２の抵抗(6) の前記一端との間の電圧の極性に基づいて、前記端子(x) と前記端子(y) との間に印加される電圧の極性を判別する電圧極性判別部とを設けたものである。
また、請求項１において、前記第１のダイオード(1) に並列接続された第３の抵抗(7) と、前記第２のダイオード(2) に並列接続された第４の抵抗(8) と、
を設けたものである。
また、電力変換装置中の任意の二端子(x)(y)間の電圧電流極性を検出する電圧電流極性検出装置において、アノードが前記端子(x) に接続された第１のダイオード(1) と、アノードが前記端子(y) に接続された第２のダイオード(2) と、アノードが前記端子(x) に接続された第３のダイオード(3) と、アノードが前記端子(y) に接続された第４のダイオード(4) と、正極が前記第１のダイオード(1) および前記第２のカソードに接続された直流電源(13)と、一端が前記第３のダイオード(3) のカソードに接続され他端が前記直流電源(13)の負極に接続された第１の抵抗(5) と、一端が前記第４のカソードに接続され他端が前記直流電源(13)の負極に接続された第２の抵抗(6) と、前記第１の抵抗(5) の前記一端と前記第２の抵抗(6) の前記一端との間の電圧の極性に基づいて、前記端子(x) と前記端子(y) との間に印加される電圧の極性を判別する電圧極性判別部とを設けたものである。
また、請求項１または３において、前記電圧極性判別部から出力される電圧極性に基づいて前記二端子間の電流極性を判別するものである。
また、請求項１または３において、一端が前記端子(x) に接続され、他端が前記端子(y) に接続され電流が双方向に流せる半導体スイッチを前記電力変換装置中に備え、前記電圧極性判別部から出力された電圧の極性の信号に基づいて前記半導体スイッチの両端に印加される電圧の極性または前記半導体スイッチの電流極性を判別するものである。
また、コレクタが前記端子(x) に接続されエミッタが前記直流電源(13)の負極に接続された第１の半導体スイッチ手段(9) と、コレクタが前記端子(y) に接続されエミッタが前記直流電源(13)の負極に接続された第２の半導体スイッチ手段(10)とを備え、前記第１の半導体スイッチ手段(9) と前記第２の半導体スイッチ手段(10)と前記第１のダイオード(1)と前記第２のダイオード(2)により電流が双方向に流せる半導体スイッチを構成したものである。
また、請求項６において、前記第１のダイオード(1) に並列接続された第３の抵抗(7) と、前記第１のダイオード(2) に並列接続された第４の抵抗(8) と、を設けたものである。
また、請求項１において、エミッタが前記端子(x) に接続されコレクタが前記直流電源(13)の正極に接続された第１の半導体スイッチ手段(9) と、エミッタが前記端子(y) に接続されコレクタが前記直流電源(13)の正極に接続された第２の半導体スイッチ手段(10)とを備え、前記第１の半導体スイッチ手段(9) と前記第２の半導体スイッチ手段(10)と前記第１のダイオード(1)と前記第２のダイオード(2)により電流が双方向に流せる半導体スイッチを構成したものである。
また、請求項８において、 前記第１のダイオード(1) に並列接続された第３の抵抗(7) と、前記第１のダイオード(2) に並列接続された第４の抵抗(8) と、を設けたものである。
また、請求項６または８において、前記直流電源(13)を前記第１の半導体スイッチ手段(9) と前記第２の半導体スイッチ手段(10)のゲート駆動電源として共用し同一電源としたものである。
また、前記電力変換装置は、請求項１から１０のいずれかの電圧電流極性検出装置を備えたものである。